(57)【特許請求の範囲】
【請求項１】
電子メールデータを記憶可能な外部装置との間で電子メールデータを近距離無線通信により転送するための電子メールデータ転送プロトコルを接続可能な接続手段と、
前記接続手段と外部装置との間で電子メールデータ転送プロトコルが接続されている状態で、外部装置から転送された電子メールデータを取得する電子メールデータ取得手段と、
外部装置から転送されて前記電子メールデータ取得手段により取得された電子メールデータを記憶する電子メールデータ記憶手段と、
ユーザによる電子メールリストの閲覧操作を受付ける閲覧操作受付手段と、
電子メールデータを外部装置から転送させることで前記電子メールデータ取得手段により取得された電子メールデータを前記電子メールデータ記憶手段に記憶させる電子メールデータ転送処理を行うことが可能であり、ユーザによる電子メールリストの閲覧操作が前記閲覧操作受付手段に受付けられた場合に、前記電子メールデータ記憶手段に記憶されている電子メールデータの電子メールリストを表示手段に表示させる電子メールリスト表示処理を行うことが可能な制御手段と、
ユーザによる電子メールアカウントの選択操作を受付ける選択操作受付手段と、を備え、
外部装置が複数の電子メールアカウントを設定しており、
前記制御手段は、前記接続手段と外部装置との間で電子メールデータ転送プロトコルが接続された場合に、ユーザによる電子メールリストの閲覧操作が前記閲覧操作受付手段に受付けられなくとも、外部装置に設定されている複数の電子メールアカウントに対応する複数の電子メールデータを対象とし、電子メールデータを前記表示手段での表示単位毎に外部装置から転送させることで前記電子メールデータ取得手段により取得された電子メールデータを前記電子メールデータ記憶手段に記憶させる電子メールデータ転送処理を行い、又、外部装置に設定されている複数の電子メールアカウントに対応する複数の電子メールデータを対象とし、電子メールデータを前記表示手段での表示単位毎に外部装置から転送させることで前記電子メールデータ取得手段により取得された電子メールデータを前記電子メールデータ記憶手段に記憶させる電子メールデータ転送処理を行っている途中で、ユーザによる電子メールリストの閲覧操作が前記閲覧操作受付手段に受付けられ、ユーザによる電子メールアカウントの選択操作が前記選択操作受付手段に受付けられた場合に、ユーザにより選択された電子メールアカウントに対応する電子メールデータを優先して電子メールデータ転送処理を行うことを特徴とする電子メールデータ処理装置。
【請求項２】
請求項１に記載した電子メールデータ処理装置において、
前記制御手段は、前記表示手段に表示されている電子メールリストに対するユーザの操作履歴に基づいて、外部装置から転送させる電子メールデータを決定することを特徴とする電子メールデータ処理装置。
【発明の詳細な説明】
【技術分野】
【０００１】
本発明は、電子メールデータを記憶可能な外部装置から転送された電子メールデータを取得して処理する電子メールデータ処理装置に関する。
【背景技術】
【０００２】
近距離無線通信機能を有する携帯電話機が車室内に持ち込まれ、その車室内に持ち込まれた携帯電話機と、車両に搭載されている近距離無線通信機能を有する車載装置とが両者の間で近距離無線通信可能な状態では、携帯電話機に記憶されている電子メールデータをユーザが車載装置側を操作して閲覧可能となるように、電子メールデータの転送を規定する電子メールデータ転送プロトコルを両者の間で接続することで、携帯電話機に記憶されている電子メールデータが携帯電話機から車載装置に転送される構成が開示されている（例えば特許文献１、２参照）。
【先行技術文献】
【特許文献】
【０００３】
【特許文献１】特開２００４−２５２５６３号公報
【特許文献２】特開２００６−３３３７７号公報
【発明の概要】
【発明が解決しようとする課題】
【０００４】
車載装置においては、携帯電話機との間で電子メールデータ転送プロトコルが接続されている状態で、ユーザが電子メールリストの閲覧操作を行うと、そのユーザが電子メールリストの閲覧操作を行ったタイミングで電子メールデータを携帯電話機から転送させ、携帯電話機から車載装置への電子メールデータの転送が終了した後に、携帯電話機から転送された電子メールデータの電子メールリストを表示することになる。そのため、ユーザにおいては、電子メールリストの閲覧操作を行った後に携帯電話機から車載装置への電子メールデータの転送が終了するまでの間は、電子メールリストを閲覧することができず、操作性に劣るという問題があった。
【０００５】
本発明は、上記した事情に鑑みてなされたものであり、その目的は、ユーザが電子メールリストの閲覧操作を行った直後に電子メールリストを速やかに表示することができ、ユーザの操作性を高めることができる電子メールデータ処理装置を提供することにある。
【課題を解決するための手段】
【０００６】
請求項１に記載した発明によれば、接続手段は、電子メールデータを記憶可能な外部装置との間で電子メールデータを近距離無線通信により転送するための電子メールデータ転送プロトコルを接続可能であり、電子メールデータ取得手段は、接続手段と外部装置との間で電子メールデータ転送プロトコルが接続されている状態で、外部装置から転送された電子メールデータを取得し、電子メールデータ記憶手段は、外部装置から転送されて電子メールデータ取得手段により取得された電子メールデータを記憶する。
【０００７】
制御手段は、電子メールデータを外部装置から転送させることで電子メールデータ取得手段により取得された電子メールデータを電子メールデータ記憶手段に記憶させる電子メールデータ転送処理を行うことが可能であり、ユーザによる電子メールリストの閲覧操作が閲覧操作受付手段に受付けられると、電子メールデータ記憶手段に記憶されている電子メールデータの電子メールリストを表示手段に表示させる電子メールリスト表示処理を行うことが可能である。
【０００８】
ここで、制御手段は、接続手段と外部装置との間で電子メールデータ転送プロトコルが接続されると、ユーザによる電子メールリストの閲覧操作が閲覧操作受付手段に受付けられていなくとも、外部装置に設定されている複数の電子メールアカウントに対応する複数の電子メールデータを対象とし、電子メールデータを表示手段での表示単位毎に外部装置から転送させることで電子メールデータ取得手段により取得された電子メールデータを電子メールデータ記憶手段に記憶させる電子メールデータ転送処理を行う。
【０００９】
これにより、ユーザが電子メールリストの閲覧操作を行ったタイミングで電子メールデータを外部装置から転送させる従来とは異なり、ユーザが電子メールリストの閲覧操作を行わなくとも、接続手段と外部装置との間で電子メールデータ転送プロトコルが接続されたタイミングで複数の電子メールアカウントに対応する複数の電子メールデータを外部装置から表示単位毎に転送させ、その外部装置から転送されて電子メールデータ取得手段により取得された複数の電子メールデータを記憶させ、その後、ユーザが電子メールリストの閲覧操作を行うと、その記憶されている複数の電子メールデータのうち何れかの電子メールリストを表示させるので、ユーザが電子メールリストの閲覧操作を行った直後に電子メールリストを速やかに表示することができ、ユーザの操作性を高めることができる。即ち、外部装置に記憶されている電子メールデータを先読みすることで、ユーザの操作性を高めることができる。
又、制御手段は、外部装置に設定されている複数の電子メールアカウントに対応する複数の電子メールデータを対象とし、電子メールデータを表示手段での表示単位毎に外部装置から転送させることで電子メールデータ取得手段により取得された電子メールデータを電子メールデータ記憶手段に記憶させる電子メールデータ転送処理を行っている途中で、ユーザによる電子メールリストの閲覧操作が閲覧操作受付手段に受付けられ、ユーザによる電子メールアカウントの選択操作が選択操作受付手段に受付けられると、ユーザにより選択された電子メールアカウントに対応する電子メールデータを優先して電子メールデータ転送処理を行う。
これにより、電子メールデータ転送処理を行っている途中で、ユーザが電子メールリストの閲覧操作を行い、ユーザが電子メールアカウントの選択操作を行うと、そのユーザが選択した電子メールアカウントに対応する電子メールデータを優先して転送させるので、ユーザが選択した電子メールアカウントに対応する電子メールデータの電子メールリストを速やかに表示することができ、ユーザの操作性をより一層高めることができる。
【００１２】
請求項２に記載した発明によれば、制御手段は、表示手段に表示されている電子メールリストに対するユーザの操作履歴に基づいて、外部装置から転送させる電子メールデータを決定する。これにより、例えばユーザが受信日時の古い電子メールデータを閲覧する傾向があれば、受信日時の古い電子メールデータを優先して外部装置から転送させたり、ユーザが受信日時の新しい電子メールデータを閲覧する傾向があれば、受信日時の新しい電子メールデータを優先して外部装置から転送させたり、ユーザが複数の電子メールアカウントを頻繁に切換える傾向があれば、複数の電子メールアカウントに対応する複数の電子メールデータを均等にして外部装置から転送させたりする等、ユーザの操作履歴を考慮した適切な電子メールデータを外部装置から転送させることができる。
【図面の簡単な説明】
【００１５】
【図１】本発明の一実施形態を示す機能ブロック図
【図２】電子メールリスト表示画面を示す図
【図３】電子メールデータが記憶されている態様を示す図
【図４】フローチャート
【図５】図４相当図
【図６】図４相当図
【図７】電子メールデータが転送される態様を示す図
【図８】図７相当図
【図９】図７相当図
【図１０】図７相当図
【図１１】図７相当図
【発明を実施するための形態】
【００１６】
以下、本発明の一実施形態について、図面を参照して説明する。尚、ここでは、Ｂｌｕｅｔｏｏｔｈ（登録商標）（以下、ＢＴと称する）通信（本発明でいう近距離無線通信に相当）機能を有するＢＴ対応の車載装置が搭載されている車両の車室内に、ＢＴ通信機能を有するＢＴ対応の携帯電話機が車室内に持込まれ、車載装置と携帯電話機とがＢＴ通信可能な状態にある場合を説明する。
【００１７】
ＢＴ通信システム１は、車両に搭載されている車載装置２（本発明でいう電子メールデータ処理装置に相当）と、車室内に持込まれた携帯電話機３（本発明でいう外部装置に相当）とから構成される。車載装置２は、制御部４（本発明でいう制御手段に相当）と、ＢＴ通信部５（本発明でいう接続手段、電子メールデータ取得手段に相当）と、記憶部６（本発明でいう電子メールデータ記憶手段に相当）と、音声処理部７と、表示制御部８と、操作入力部９（本発明でいう閲覧操作受付手段、選択操作受付手段に相当）と、信号入力部１０とを備えて構成されている。
【００１８】
制御部４は、周知のマイクロコンピュータからなるＣＰＵ、ＲＡＭ、ＲＯＭ及びＩ／Ｏバス等を有し、車載装置２の通信動作やデータ管理動作等の動作全般を制御する。ＢＴ通信部５は、携帯電話機３との間でＢＴ通信を行う機能を有し、ＢＴの通信規格で規定されている複数のプロファイルとして、ハンズフリー通話を規定するＨＦＰ（Hands Free Profile）や、電子メールデータの転送を規定するＭＡＰ（Message Access Profile）とを同時接続（所謂マルチ接続）可能に構成されている。ここでいう電子メールとは周知のコンピュータネットワークを通じて交換される文字メッセージや画像情報等の総称である。これらＨＦＰやＭＡＰは機能毎に定義された通信プロトコルを意味している。尚、ＨＦＰやＭＡＰに加え、電話帳データの転送を規定するＰＢＡＰ（Phone Book Access Profile）や、各種データの転送を規定するＯＰＰ（Object Push Profile）等を接続可能に構成されていても良い。
【００１９】
記憶部６は、各種データを記憶する記憶領域を有し、携帯電話機３から転送されてＢＴ通信部５により取得された電子メールデータを記憶する電子メールデータ記憶領域６ａを有している。電子メールデータとは、電子メールの発信先を特定可能な差出人情報、電子メールが通信網１９（の電子メールサーバ）から携帯電話機３に受信された日時を特定可能な受信日時情報、電子メールの種別を特定可能な種別情報、例えば差出人が入力した電子メールの件名を特定可能な件名情報等が対応付けられたデータである。
【００２０】
電子メールデータ記憶領域６ａは、１回のＭＡＰの接続で携帯電話機３から転送される電子メールデータを記憶可能な記憶容量を有する。又、電子メールデータ記憶領域６ａは、これら電子メールデータを受信日時の新しい順にソートして記憶する機能を有している。即ち、電子メールデータ記憶領域６ａは、携帯電話機３から転送される電子メールデータが受信日時の新しい順にソートされていれば、携帯電話機３から転送された電子メールデータを受信日時の新しい順に維持したまま記憶し、たとえ携帯電話機３から転送される電子メールデータが受信日時の新しい順にソートされていなくとも、携帯電話機３から転送された電子メールデータを受信日時の新しい順にソートして記憶する。
【００２１】
尚、記憶部６は、電子メールデータを記憶する電子メールデータ記憶領域６ａの他に、携帯電話機３から転送されてＢＴ通信部５により取得された電話帳データを記憶する電話帳データ記憶領域や、車載装置２からの発信動作又は当該車載装置２との間でＨＦＰを接続している携帯電話機３からの発信動作に係る発信時刻と発信電話番号との対応を表す発信履歴データを記憶する発信履歴データ記憶領域や、車載装置２との間でＨＦＰを接続している携帯電話機３の着信動作に係る着信時刻と着信電話番号との対応を表す着信履歴データを記憶する着信履歴データ記憶領域等をも有している。
【００２２】
音声処理部７には車室内にあって例えばハンドルの近傍等のユーザが発した音声を集音し易い部位に配置されているマイクロホン１１が接続されていると共に、車載装置２の外部に配置されているオーディオアンプ１２が接続されており、オーディオアンプ１２にはスピーカ１３ａ、１３ｂが接続されている。
【００２３】
音声処理部７は、ＢＴ通信部５と携帯電話機３との間でＨＦＰが接続されている状態では、ユーザが発した音声をマイクロホン１１から送話音声データとして入力すると、その入力した送話音声データを音声処理してＢＴ通信部５に出力し、ＢＴ通信部５から受話音声データを入力すると、その入力した受話音声データをオーディオアンプ１２に出力する。
【００２４】
オーディオアンプ１２は、音声処理部７から受話音声データを入力すると、その入力した受話音声データを増幅してスピーカ１３ａ、１３ｂから出力させる。又、オーディオアンプ１２にはチューナーデッキ１４も接続されており、オーディオアンプ１２はチューナーデッキ１４が例えば音楽用記録媒体から再生した楽曲音やラジオ放送局から受信したラジオ番組を当該チューナーデッキ１４から入力すると、その入力した楽曲音やラジオ番組を増幅してスピーカ１３ａ、１３ｂから出力させる。
【００２５】
ディスプレイ装置１５は、各種表示画面を表示する表示装置１６と、表示画面上にタッチスイッチを形成する操作装置１７とを備えて構成されている。表示制御部８は、制御部４から表示指令信号を入力すると、その入力した表示指令信号に基づいてディスプレイ装置１５における表示装置１６の表示動作を制御する。操作入力部９は、ユーザが表示画面上に形成されているタッチスイッチを操作したことに応じて操作装置１７から操作検出信号を入力すると、その入力した操作検出信号を制御部４に出力し、制御部４は、操作入力部９から入力した操作検出信号を解析してユーザの操作を特定する。
【００２６】
信号入力部１０は、車両に搭載されているＡＣＣ（アクセサリ）スイッチに接続されており、ＡＣＣスイッチから出力されたＡＣＣ信号を入力すると、その入力したＡＣＣ信号を制御部４に出力し、制御部４は、信号入力部１０から入力したＡＣＣ信号のオンオフに基づいて装置電源をオンオフする。即ち、制御部４は、ＡＣＣ信号がオフからオンに切換わったタイミングで装置電源をオンし（車載装置２を起動し）、ＡＣＣ信号がオンからオフに切換わったタイミングで装置電源をオフする（車載装置２を停止する）。尚、制御部４は、車載装置２を停止した後でも、通常動作モードから低消費電力動作モードに切換えて動作する。
【００２７】
携帯電話機３は、自機の動作全般を制御する制御部と、通信網１９との間で電話通信を行う電話通信部と、ＢＴ通信を行うＢＴ通信部と、ユーザが操作する各種キーが配列されてなるキー入力部と、通信網１９から送信されて電話通信部に受信された電子メールに係る電子メールデータを記憶する電子メールデータ記憶領域１８を有する記憶部と、各種表示画面を表示する表示部と、ユーザが発した音声を入力するマイクロホンと、通話相手から受信した音声を受話音声として出力するスピーカとを備えて構成されている。この場合、携帯電話機３のＢＴ通信部は、車載装置２との間でＢＴ通信を行う機能を有し、車載装置２のＢＴ通信部５と同様にして、ＢＴの通信規格で規定されている複数のプロファイルとしてＨＦＰやＭＡＰ等を同時接続可能に構成されている。
【００２８】
電子メールデータ記憶領域１８は、上記した車載装置２の電子メールデータ記憶領域６ａと同様に、電子メールデータを受信日時の新しい順にソートして記憶する機能を有している。即ち、電子メールデータ記憶領域１８は、通信網１９から送信されて電話通信部に受信された電子メールに係る電子メールデータを受信日時の新しい順にソートして記憶する。尚、通信網１９は携帯電話基地局や基地局制御装置等の周知の携帯電話通信サービスを提供する設備を含むものである。
【００２９】
上記した構成では、携帯電話機３は複数の電子メールアカウントを設定可能であり、電子メールデータ記憶領域１８は電子メールアカウント毎に区分して電子メールデータを記憶可能である。このように携帯電話機３が複数の電子メールアカウントを設定可能であることにより、車載装置２において、制御部４は、携帯電話機３から転送された複数の電子メールアカウントに対応する複数の電子メールデータをＢＴ通信部５により取得すると、その取得した複数の電子メールデータを電子メールアカウント毎に区分して電子メールデータ記憶領域６ａに記憶させる。そして、制御部４は、ユーザが電子メールリストの閲覧操作を行ったと判定すると、電子メールデータ記憶領域６ａに電子メールアカウント毎に区分して記憶されている電子メールデータの電子メールリストを示す電子メールリスト画面２１を表示装置１６に表示させる（本発明でいう電子メールリスト表示処理に相当）。尚、複数の電子メールアカウントとしては、ショートメッセージサービスやマルチメディアメッセージングサービス等の電子メールアカウントが挙げられる。
【００３０】
図２は、制御部４が表示装置１６に表示させる電子メールリスト画面２１の一例を示している。本実施形態では、携帯電話機３に「Ａｃｃｏｕｎｔ１」、「Ａｃｃｏｕｎｔ２」、「Ａｃｃｏｕｎｔ３」の３個の電子メールアカウントが設定されている場合を示している。即ち、図２に示す電子メールリスト画面２１では、３個の電子メールアカウントの各々に対応するタブ２１ａ〜２１ｃが表示されていると共に、その時点で選択している電子メールアカウント（図２では「Ａｃｃｏｕｎｔ１」）の電子メールリストが表示されている。電子メールリストは、５件分のリスト情報２１ｄを含み、各々のリスト情報２１ｄは、電子メールの発信先を示す差出人情報２１ｅ、電子メールが通信網１９（の電子メールサーバ）から携帯電話機３に受信された日時を示す受信日時情報２１ｆ、未読又は既読を示す未既読情報２１ｇ、添付資料（添付ファイル）の有無を示す添付資料情報２１ｈ等を１単位とする。
【００３１】
この場合、制御部４は、ユーザが電子メールリストの閲覧操作を行った直後に最初に表示すべく初期設定として「Ａｃｃｏｕｎｔ１」の電子メールアカウントを選択している場合には、ユーザが電子メールリストの閲覧操作を行った直後では、「Ａｃｃｏｕｎｔ１」の電子メールアカウントに対応する電子メールリスト（５件分のリスト情報２１ｄ）を表示させるが、ユーザがタブ２１ｂを操作したと判定すると、「Ａｃｃｏｕｎｔ２」の電子メールアカウントを選択して「Ａｃｃｏｕｎｔ２」の電子メールアカウントに対応する電子メールリストを表示させ、又、ユーザがタブ２１ｃを操作したと判定すると、「Ａｃｃｏｕｎｔ３」の電子メールアカウントを選択して「Ａｃｃｏｕｎｔ３」の電子メールアカウントに対応する電子メールリストを表示させる。
【００３２】
又、電子メールリスト画面２１では、電子メールリスト前方向スクロールキー２１ｉ及び電子メールリスト後方向スクロールキー２１ｊが表示されている。制御部４は、ユーザが電子メールリスト前方向スクロールキー２１ｉを操作したと判定すると、その時点で表示されている５件分のリスト情報２１ｄよりも前の（受信日時が古い）５件分のリスト情報２１ｄを表示させ、一方、ユーザが電子メールリスト後方向スクロールキー２１ｊを操作したと判定すると、その時点で表示されている５件分のリスト情報２１ｄよりも後の（受信日時が新しい）５件分のリスト情報２１ｄを表示させる。
【００３３】
更に、電子メールリスト画面２１では、電子メールアカウント前方向スクロールキー２１ｋ及び電子メールアカウント後方向スクロールキー２１ｌが表示されている。制御部４は、ユーザが電子メールアカウント前方向スクロールキー２１ｋを操作したと判定すると、その時点で表示されている３個の電子メールアカウントよりも前の電子メールアカウント（「Ａｃｃｏｕｎｔ０」）が設定されていれば、その電子メールアカウントに対応するタブを表示させると共に、その電子メールアカウントに対応する電子メールリストを表示させ、一方、ユーザが電子メールアカウント後方向スクロールキー２１ｌを操作したと判定すると、その時点で表示されている３個の電子メールアカウントよりも後の電子メールアカウント（「Ａｃｃｏｕｎｔ４」）が設定されていれば、その電子メールアカウントに対応するタブを表示させると共に、その電子メールアカウントに対応する電子メールリストを表示させる。
【００３４】
制御部４は、ＢＴ通信部５と携帯電話機３との間でＢＴ通信回線が接続されている状態ではＭＡＰを常時接続する。即ち、制御部４は、ＢＴ通信部５と携帯電話機３との間でＢＴ通信回線が接続されると、ＭＡＰを接続するための接続手順を自動的に行う。そして、制御部４は、ＢＴ通信部５と携帯電話機３との間でＭＡＰが接続されると、電子メールアカウント数要求コマンドをＢＴ通信部５から携帯電話機３に送信させることで、その時点で携帯電話機３に設定されている電子メールアカウント数を携帯電話機３から転送させ、携帯電話機３から転送された電子メールアカウント数をＢＴ通信部５により取得する。
【００３５】
又、制御部４は、電子メールデータ要求コマンドをＢＴ通信部５から携帯電話機３に送信させることで、その時点で携帯電話機３に記憶されている電子メールデータを携帯電話機３から転送させ、携帯電話機３から転送された電子メールデータをＢＴ通信部５により取得し、その取得した電子メールデータを電子メールデータ記憶領域６ａに記憶させる（本発明でいう電子メールリスト転送処理に相当）。この場合、制御部４は、電子メールリスト画面２１に同時に（一度に）表示可能なリスト情報２１ｄの件数である５件を表示単位として電子メールデータを携帯電話機３から転送させる。
【００３６】
次に、上記した構成の作用について、図３乃至図１１を参照して説明する。図４乃至図６は車載装置２が行う処理をフローチャートにより示している。尚、ここでは、携帯電話機３には、図３に示すように、「Ａｃｃｏｕｎｔ１」に対応して「ｍａｉｌ（１−１）」〜「ｍａｉｌ（１−２０）」の２０件の電子メールデータが記憶されており、「Ａｃｃｏｕｎｔ２」に対応して「ｍａｉｌ（２−１）」〜「ｍａｉｌ（２−１５）」の１５件の電子メールデータが記憶されており、「Ａｃｃｏｕｎｔ３」に対応して「ｍａｉｌ（３−１）」〜「ｍａｉｌ（３−１０）」の１０件の電子メールデータが記憶されていることを前提として説明する。尚、「ｍａｉｌ（ｍ−ｎ）」（ｍは自然数（本実施形態では１〜３）、ｎは自然数（本実施形態では１〜２０））において、ｎの値が小さい程に受信日時が古い電子メールデータであり、ｎの値が大きい程に受信日時が新しい電子メールデータである。
【００３７】
制御部４は、車載装置２の装置電源がオン（ＡＣＣスイッチがオン）している状態では、メイン処理を行い、メイン処理におけるサブ処理として、ＭＡＰ接続判定処理を行い（ステップＳ１）、電子メールリスト閲覧操作判定処理を行う（ステップＳ２）。即ち、制御部４は、ＭＡＰ接続判定処理及び電子メールリスト閲覧操作判定処理を所定周期で定期的に行う。以下、各処理について順次説明する。尚、制御部４は、車載装置２の装置電源がオフすると、メイン処理を終了する。
【００３８】
（１）ＭＡＰ接続判定処理
制御部４は、メイン処理からＭＡＰ接続判定処理への移行タイミングになると、ＭＡＰ接続判定処理を開始する。制御部４は、ＭＡＰ接続判定処理を開始すると、ＢＴ通信部５と携帯電話機３との間でＭＡＰが接続されたか否かを判定する（ステップＳ１１）。制御部４は、ＢＴ通信部５と携帯電話機３との間でＭＡＰが接続されていないと判定すると（ステップＳ１１にて「ＮＯ」）、ＭＡＰ接続判定処理を終了してメイン処理にリターンする。
【００３９】
一方、制御部４は、例えばユーザがＡＣＣスイッチをオンしたことで車載装置２が起動したことに応じて、ＢＴ通信部５と携帯電話機３との間でＢＴ通信回線が接続され、ＢＴ通信部５と携帯電話機３との間でＭＡＰが接続されたと判定すると（ステップＳ１１にて「ＹＥＳ」）、電子メールアカウント数要求コマンドをＢＴ通信部５から携帯電話機３に送信させることで、その時点で携帯電話機３に設定されている電子メールアカウント数を携帯電話機３から転送させ、その時点で携帯電話機３に設定されている電子メールアカウント数を取得する（ステップＳ１２）。
【００４０】
次いで、制御部４は、全ての電子メールアカウントを対象とし、電子メールデータ要求コマンドをＢＴ通信部５から携帯電話機３に送信させることで、携帯電話機３に記憶されている最新から表示単位分（５件分）の電子メールデータを転送させ、携帯電話機３から転送された電子メールデータをＢＴ通信部５により取得すると、その取得した電子メールデータを電子メールデータ記憶領域６ａに記憶させる（ステップＳ１３）。
【００４１】
即ち、制御部４は、図７に示すように、携帯電話機３に記憶されている電子メールデータのうち「Ａｃｃｏｕｎｔ１」の「ｍａｉｌ（１−１６）」〜「ｍａｉｌ（１−２０）」の５件の電子メールデータを転送させ、次いで、「Ａｃｃｏｕｎｔ２」の「ｍａｉｌ（２−１１）」〜「ｍａｉｌ（２−１５）」の５件の電子メールデータを転送させ、次いで、「Ａｃｃｏｕｎｔ３」の「ｍａｉｌ（３−６）」〜「ｍａｉｌ（３−１０）」の５件の電子メールデータを転送させ、その転送された電子メールデータを電子メールデータ記憶領域６ａに記憶させる。
【００４２】
次いで、制御部４は、初期設定として選択している電子メールアカウントを対象とし、電子メールデータ要求コマンドをＢＴ通信部５から携帯電話機３に送信させることで、残りの（未転送分の）電子メールデータを表示単位毎に転送させ、携帯電話機３から転送された電子メールデータをＢＴ通信部５により取得すると、その取得した電子メールデータを電子メールデータ記憶領域６ａに記憶させる（ステップＳ１４）。
【００４３】
即ち、制御部４は、図７に示すように、携帯電話機３に記憶されている電子メールデータのうち「Ａｃｃｏｕｎｔ１」の「ｍａｉｌ（１−１１）」〜「ｍａｉｌ（１−１５）」の５件の電子メールデータを転送させ、次いで、「Ａｃｃｏｕｎｔ１」の「ｍａｉｌ（１−６）」〜「ｍａｉｌ（１−１０）」の５件の電子メールデータを転送させ、次いで、「Ａｃｃｏｕｎｔ１」の「ｍａｉｌ（１−１）」〜「ｍａｉｌ（１−５）」の５件の電子メールデータを転送させ、その転送された電子メールデータを電子メールデータ記憶領域６ａに記憶させる。
【００４４】
次いで、制御部は、残りの（初期設定として選択していない）電子メールアカウントを対象とし、電子メールデータ要求コマンドをＢＴ通信部５から携帯電話機３に送信させることで、残りの（未転送分の）電子メールデータを表示単位毎に転送させ、携帯電話機３から転送された電子メールデータをＢＴ通信部５により取得すると、その取得した電子メールデータを電子メールデータ記憶領域６ａに記憶させる（ステップＳ１５）。
【００４５】
即ち、制御部４は、図７に示すように、携帯電話機３に記憶されている電子メールデータのうち「Ａｃｃｏｕｎｔ２」の「ｍａｉｌ（２−６）」〜「ｍａｉｌ（２−１０）」の５件の電子メールデータを転送させ、次いで、「Ａｃｃｏｕｎｔ２」の「ｍａｉｌ（２−１）」〜「ｍａｉｌ（２−５）」の５件の電子メールデータを転送させ、次いで、「Ａｃｃｏｕｎｔ３」の「ｍａｉｌ（３−１）」〜「ｍａｉｌ（３−５）」の５件の電子メールデータを転送させ、その転送された電子メールデータを電子メールデータ記憶領域６ａに記憶させる。
【００４６】
以上のようにして、制御部４は、携帯電話機３に記憶されている電子メールデータを携帯電話機３から表示単位毎に順次転送させ、携帯電話機３から順次転送された電子メールデータをＢＴ通信部５により順次取得すると、その順次取得した電子メールデータを電子メールデータ記憶領域６ａに順次記憶させる。そして、制御部４は、携帯電話機３に記憶されている全ての電子メールデータを転送させ、その携帯電話機３から転送された全ての電子メールデータを電子メールデータ記憶領域６ａに記憶させると、ＭＡＰ接続判定処理を終了してメイン処理にリターンする。
【００４７】
（２）電子メールリスト閲覧操作判定処理
制御部４は、メイン処理から電子メールリスト閲覧操作判定処理への移行タイミングになると、電子メールリスト閲覧操作判定処理を開始する。制御部４は、電子メールリスト閲覧操作判定処理を開始すると、ユーザによる電子メールリスト閲覧操作が行われたか否かを判定する（ステップＳ２１）。制御部４は、ユーザによる電子メールリスト閲覧操作が行われていないと判定すると（ステップＳ２１にて「ＮＯ」）、電子メールリスト閲覧操作判定処理を終了してメイン処理にリターンする。
【００４８】
一方、制御部４は、例えばユーザが電子メールリスト閲覧操作を操作装置１７にて行ったことに応じて、ユーザによる電子メールリスト閲覧操作が行われたと判定すると（ステップＳ２１にて「ＹＥＳ」）、その時点で電子メールデータ記憶領域６ａに記憶されている電子メールデータを読出し（ステップＳ２２）、その読出した電子メールデータに対応する電子メールリスト画面２１を表示装置１６に表示させ（ステップＳ２３）、電子メールリスト閲覧操作判定処理を終了してメイン処理にリターンする。
【００４９】
ところで、以上は、携帯電話機３に記憶されている全ての電子メールデータが携帯電話機３から車載装置２に転送された後に、ユーザによる電子メールリスト閲覧操作が行われた場合を説明したが、携帯電話機３に記憶されている全ての電子メールデータが携帯電話機３から車載装置２に転送される前に、即ち、携帯電話機３に記憶されている電子メールデータが携帯電話機３から車載装置２に転送されている途中で、ユーザによる電子メールリスト閲覧操作が行われた場合には、制御部４は以下の動作を行う。
【００５０】
制御部４は、図８に示すように、携帯電話機３に記憶されている電子メールデータのうち例えば「Ａｃｃｏｕｎｔ１」の「ｍａｉｌ（１−６）」〜「ｍａｉｌ（１−１０）」の５件の電子メールデータが転送されている途中で、ユーザが電子メールリストの閲覧操作を行い、ユーザが「Ａｃｃｏｕｎｔ２」に対応するタブ２１ｂの選択操作を行うと、「Ａｃｃｏｕｎｔ１」の「ｍａｉｌ（１−６）」〜「ｍａｉｌ（１−１０）」の５件の電子メールデータの転送を終了した後に、「Ａｃｃｏｕｎｔ１」の「ｍａｉｌ（１−１）」〜「ｍａｉｌ（１−５）」の５件の電子メールデータを転送させるのではなく、そのユーザが選択した「Ａｃｃｏｕｎｔ２」の「ｍａｉｌ（２−６）」〜「ｍａｉｌ（２−１０）」の５件の電子メールデータを転送させる。即ち、制御部４は、ユーザが選択した電子メールアカウントに対応する電子メールデータを優先して携帯電話機３から転送させる。
【００５１】
同様に、制御部４は、図９に示すように、携帯電話機３に記憶されている電子メールデータのうち例えば「Ａｃｃｏｕｎｔ２」の「ｍａｉｌ（２−６）」〜「ｍａｉｌ（２−１０）」の５件の電子メールデータが転送されている途中で、ユーザが「Ａｃｃｏｕｎｔ１」に対応するタブ２１ａの選択操作を行うと、「Ａｃｃｏｕｎｔ２」の「ｍａｉｌ（２−６）」〜「ｍａｉｌ（２−１０）」の５件の電子メールデータの転送を終了した後に、「Ａｃｃｏｕｎｔ２」の「ｍａｉｌ（２−１）」〜「ｍａｉｌ（２−５）」の５件の電子メールデータを転送させるのではなく、そのユーザが選択した「Ａｃｃｏｕｎｔ１」の「ｍａｉｌ（１−１）」〜「ｍａｉｌ（１−５）」の５件の電子メールデータを転送させる。
【００５２】
又、携帯電話機３に記憶されている電子メールデータを上記した順序にしたがって転送させることに限らず、別の順序にしたがって転送させても良い。即ち、制御部４は、図１０に示すように、携帯電話機３に記憶されている電子メールデータのうち「Ａｃｃｏｕｎｔ１」の全ての電子メールデータを転送させた後に、「Ａｃｃｏｕｎｔ２」の全ての電子メールデータを転送させ、「Ａｃｃｏｕｎｔ２」の全ての電子メールデータを転送させた後に、「Ａｃｃｏｕｎｔ３」の全ての電子メールデータを転送させても良い。
【００５３】
この場合も、制御部４は、図１１に示すように、携帯電話機３に記憶されている電子メールデータのうち例えば「Ａｃｃｏｕｎｔ１」の「ｍａｉｌ（１−６）」〜「ｍａｉｌ（１−１０）」の５件の電子メールデータが転送されている途中で、ユーザが電子メールリストの閲覧操作を行い、ユーザが「Ａｃｃｏｕｎｔ２」に対応するタブ２１ｂの選択操作を行うと、「Ａｃｃｏｕｎｔ１」の「ｍａｉｌ（１−６）」〜「ｍａｉｌ（１−１０）」の５件の電子メールデータの転送を終了した後に、「Ａｃｃｏｕｎｔ１」の「ｍａｉｌ（１−１）」〜「ｍａｉｌ（１−５）」の５件の電子メールデータの転送させるのではなく、そのユーザが選択した「Ａｃｃｏｕｎｔ２」の「ｍａｉｌ（２−６）」〜「ｍａｉｌ（２−１０）」の５件の電子メールデータを転送させても良い。即ち、制御部４は、ユーザが選択した電子メールアカウントに対応する電子メールデータを優先して携帯電話機３から転送させても良い。
【００５４】
以上に説明したように本実施形態によれば、車載装置２において、携帯電話機３との間でＭＡＰが接続されると、ユーザが電子メールリストの閲覧操作を行わなくとも、携帯電話機３との間でＭＡＰが接続されたタイミングで、携帯電話機３に記憶されている電子メールデータを携帯電話機３から表示単位毎に転送させて記憶させ、その後、ユーザが電子メールリストの閲覧操作を行うと、その記憶されている電子メールデータの電子メールリストを表示させるように構成したので、ユーザが電子メールリストの閲覧操作を行った直後に電子メールリストを速やかに表示することができ、ユーザの操作性を高めることができる。
【００５５】
又、携帯電話機３に記憶されている電子メールデータを携帯電話機３から表示単位毎に転送させている途中で、ユーザが電子メールリストの閲覧操作を行い、ユーザが電子メールアカウントの選択操作を行うと、そのユーザが選択した電子メールアカウントに対応する電子メールデータを優先して転送させるように構成したので、ユーザが選択した電子メールアカウントに対応する電子メールデータの電子メールリストを速やかに表示することができ、ユーザの操作性をより一層高めることができる。
【００５６】
本発明は、上記した実施形態にのみ限定されるものではなく、以下のように変形又は拡張することができる。
車載装置は、携帯電話機との間で近距離無線通信可能であり、携帯電話機から転送された電子メールデータを取得して記憶可能な構成であれば、周知のナビゲーション機能を有するナビゲーション装置等であっても良い。
【００５７】
携帯電話機は、車載装置との間で近距離無線通信可能であり、電子メールデータを車載装置に転送可能な構成であれば、携帯情報端末等であっても良い。
車載装置と携帯電話機とが両者の間でＢＴ通信を行うことに限らず、両者の間で他の近距離無線通信を行っても良い。
【００５８】
車載装置において、電子メールリスト画面に同時に表示可能なリスト情報の件数（表示単位）は５件でなくとも良く、６件以上であっても良いし、４件以下であっても良い。
車載装置において、電子メールデータを携帯電話機から転送させている場合に、例えば「電子メールデータを転送中です。」等の表示メッセージを表示させることで、電子メールデータの転送中であることをユーザに通知するようにしても良い。このように構成すれば、電子メールデータを転送中であることをユーザに通知することができ、操作性をより一層高めることができる。
【００５９】
ユーザによる電子メールリスト画面での操作履歴を判定することで、携帯電話機から転送させる電子メールデータを決定するように構成しても良い。即ち、ユーザが電子メールリスト前方向スクロールキーを頻繁に操作すると判定し、ユーザが受信日時の古い電子メールデータを閲覧する傾向があると判定することで、受信日時の古い電子メールデータを優先して携帯電話機から表示単位毎に転送させたり、ユーザが電子メールリスト後方向スクロールキーを頻繁に操作すると判定し、ユーザが受信日時の新しい電子メールデータを閲覧する傾向があると判定することで、受信日時の新しい電子メールデータを優先して携帯電話機から表示単位毎に転送させたりするようにしても良い。又、ユーザが複数の電子メールアカウントに対応する複数のタブを頻繁に操作すると判定し、ユーザが電子メールアカウントを頻繁に切換える傾向があると判定することで、複数の電子メールアカウントに対応する複数の電子メールデータを均等にして携帯電話機から表示単位毎に転送させたりするようにしても良い。このように構成すれば、ユーザの操作履歴を考慮した適切な電子メールデータを携帯電話機から転送させることができる。
【符号の説明】
【００６０】
図面中、２は車載装置（電子メールデータ処理装置）、３は携帯電話機（外部装置）、４は制御部（制御手段）、５はＢＴ通信部（接続手段、電子メールデータ取得手段）、６は記憶部（電子メールデータ記憶手段）、９は操作入力部（閲覧操作受付手段、選択操作受付手段）である。
【図１】
0005552038.tif 000002
【図２】
0005552038.tif 000003
【図３】
0005552038.tif 000004
【図４】
0005552038.tif 000005
【図５】
0005552038.tif 000006
【図６】
0005552038.tif 000007
【図７】
0005552038.tif 000008
【図８】
0005552038.tif 000009
【図９】
0005552038.tif 000010
【図１０】
0005552038.tif 000011
【図１１】
0005552038.tif 000012